(57)【要約】【課題】強度的に安定しており、止水性能、維持管理性に優れ、更に工期の短縮、施工コストの低減を期し得る貯水槽を提供する。【解決手段】環状を呈し且つ上端が塞がれた環状水槽３で取り囲まれてなる内部の空間を内部水槽４とする。環状水槽３は、直線状に延長する第１の直線状水槽５と、これと直交する如く直線状に延長する第２の直線状水槽６とが交差するコーナー交差部７にコーナー部水槽８が配設されている。第１、第２の直線状水槽５，６は門形ブロック１３を用いて構成され、門形ブロック１３の両側板１５，１６間としての貯水部が連設されている。環状水槽３と内部水槽４とを連通させる連通開口２７が環状水槽３に設けられ、コーナー部水槽７は、上端が塞がれてなる、軸線が上下方向である筒状を呈する。コーナー部水槽８の連結側面部２９，３０に、第１、第２の直線状水槽５，６の端部が連通状態に連結される。【選択図】図１
2015134988.tif 000002
【特許請求の範囲】
【請求項１】
閉じた環状を呈し且つ上端が塞がれた環状水槽で取り囲まれてなる内部の空間が内部水槽とされてなる貯水槽であって、
前記環状水槽は、一方向に直線状に延長する第１の直線状水槽と、これと直交する如く直線状に延長する第２の直線状水槽とが交差するコーナー交差部にコーナー部水槽が配設されてなり、
前記第１、第２の直線状水槽は、所要間隔を隔てて立設された対向する側板の上部相互が連結板で連結されてなるプレキャストコンクリート製の門形ブロックが、その長さ方向の端部相互を連通状態にして並設されることによって構成されると共に、前記環状水槽と前記内部水槽とを連通させる連通開口が該環状水槽に設けられており、
又前記コーナー部水槽は、プレキャストコンクリートブロックを用いて構成され、上端が塞がれてなる、軸線が上下方向である筒状を呈しており、
該コーナー部水槽の連結側面部に、前記第１、第２の直線状水槽の端部が当接状態に連結され、該端部に設けられている端部開口が、該連結側面部に設けた側面部開口に連通されていることを特徴とする貯水槽。
【請求項２】
前記コ−ナ−部水槽は、平面視で正方形状を呈する角筒体として構成されており、その平面視における正方形の一辺の長さが前記第１、第２の直線状水槽の横断方向で見た幅寸法に略等しく設定されていることを特徴とする請求項１記載の貯水槽。
【請求項３】
前記コーナー部水槽は、平面視で矩形状を呈する角筒体として構成されており、最下端に配置される底部ブロックと、最上端に配置される頂部ブロックと、該底部ブロックと該頂部ブロックとの間に積重状態に配置される１個乃至複数個の中間ブロックを用いて構成されており、
該底部ブロックは、有底又は下端が開放された矩形状箱体として構成されており、前記頂部ブロックは、上端が塞がれ且つ下端が開放された矩形状箱体として構成されており、又前記中間ブロックは、上下端が開放された矩形状箱体として構成されていることを特徴とする請求項１記載の貯水槽。
【請求項４】
前記コ−ナ−部水槽に貯水排出部を設ける場合、該コ−ナ−部水槽の底部分が、水槽底部を掘り下げて設けた凹部に位置されることによって、該底部分がピットとされていることを特徴とする請求項１、２又は３記載の貯水槽。
【請求項５】
前記内部水槽は、対向する前記第１の直線状水槽の対向部位相互、又は、対向する前記第２の直線状水槽の対向部位相互が、仕切りにより分割されていることを特徴とする請求項１〜４の何れかに記載の貯水槽。
【請求項６】
前記内部水槽は、対向する前記第１の直線状水槽の対向部位相互、又は、対向する前記第２の直線状水槽の対向部位相互が仕切りで連結されることによって該仕切りにより分割されており、該仕切りの上部に設けられた受部で、該分割により形成された分割水槽部の上端を閉蓋する蓋板の端部分を下方から支持することを特徴とする請求項１〜４の何れかに記載の貯水槽。
【請求項７】
前記環状水槽は、平面視で長方形状又は正方形状を呈しており、
前記内部水槽は、対向する前記第１の直線状水槽の中央部位相互、又は、対向する前記第２の直線状水槽の中央部位相互が仕切りで連結されることによって該仕切りにより左右に二分割されて左右の分割水槽部とされており、
該仕切りの上部の左右側で受部が設けられると共に、該左右の受部の一方と、該受部と対向して前記第１の直線状水槽又は前記第２の直線状水槽の、前記内部水槽に面する前記側板の外面上部に設けられた受部とによって、前記分割水槽部の上端を閉蓋するための蓋板の両端部分が支持されていることを特徴とする請求項１〜４の何れかに記載の貯水槽。
【発明の詳細な説明】
【技術分野】
【０００１】
本発明は貯水槽に関するものであり、より詳しくは、例えば、大量の雨水を一時的に貯留する雨水一時貯留槽や、貯留した雨水を地下に浸透させる地下浸透槽、防火水槽、中水利用槽、飲料用水の貯留槽等として用いることのできる貯水槽に関するものである。
【背景技術】
【０００２】
本出願人は特許文献１において、造成地や校庭、駐車場等に設けられて大量の雨水を一時的に貯留する雨水一時貯留槽を提案した。図４５〜４７は、該雨水一時貯留槽ａの一例を示すものであり、プレキャストコンクリートブロックを用いて構成されていた。該雨水一時貯留槽ａは、より具体的には図４５〜４７に示すように、所要間隔を隔てて立設された対向する側板ｂ，ｂの上部ｃ，ｃ相互が連結板ｄで連結されてなるプレキャストコンクリート製の門形ブロックｅを用いてなり、該側板ｂの所要のものに連通開口ｒが設けられていた。そして、該門形ブロックｅが、その長さ方向の端部相互を連通状態にして並設されることによって第１の単位槽列ｇが構成され、該第１の単位槽列ｇが所要間隔を置いて並設されると共に、隣り合う第１の単位槽列ｇ，ｇの対向する側板ｂ，ｂの外面上部の受部ｈ，ｈに蓋板ｊの両端部分ｋ，ｋが支持されて第２の単位槽列ｍが構成され、これによって単位槽列が並設された状態となされていた。又、該第１、第２の単位槽列ｇ，ｍの端部開放部ｐ，ｐが、プレキャストコンクリート製の平板状を呈する端面板ｑでボルト固定により閉塞されていた。
【０００３】
しかしながら、各単位槽列の端部開放部ｐ，ｐを該端面板ｑで閉塞する結果、次のような問題があった。即ち該端面板ｑは、プレキャストコンクリート製の平板体であって剛性が小さいものであったため、捩じれ等の変形が発生しやすく、その結果、該端面板ｑで前記第１、第２の単位槽列ｇ，ｍの端部開放部ｐ，ｐを閉塞したとしても、第１、第２の単位槽列ｇ，ｍの端部ｓ，ｓと該端面板ｑとの接合部の止水を確保するのが難しかった。
【０００４】
地下埋設の貯水槽には、外部の水の浸入防止を図るためや貯水槽内の利用水が外部に流出するのを防止するため等、要求される止水性能が高く、これに応じるためには高度の止水処理を要したが、それに伴い施工コストが高価となる問題があった。
【０００５】
又該端面板ｑは、図４６に示すように平板状を呈していて自立できないため、該端面板ｑで各単位槽列の端部開放部ｐ，ｐを閉塞する施工において、該端面板の転倒を防止する安全対策をも要する等、施工能率が悪く工期が長引く問題があったばかりか、施工コストの上昇を招く問題があった。又、捩じれ等の変形が生じている端面板ｑを用いて単位槽列の端部開放部ｐ，ｐを閉塞して構成された貯水槽ａは、強度の面でも改善の余地があった。
【０００６】
又特許文献１に係る貯水槽ａは、図４７に示すように、隣り合う第１の単位槽列ｇ，ｇの対向する側板ｂ，ｂの上部に形成された受台ｈ，ｈに蓋板ｊの両端部分ｋ，ｋを支持させることにより第２の単位槽列ｍを構成していたが、該第２の単位槽列ｍの幅寸法をそれ程大きくできなかった。なぜなら、該第２の単位槽列ｍの幅を例えば図４８に示すように大きく設定したとすれば、該第２の単位槽列ｍの端部開放部ｐを閉塞する前記端面板ｑの幅寸法が大きなものとなるので、かかる幅寸法の大きい端面板ｑの捩じれ等の変形はそれだけ大きなものとなり、従って、前記した端面板閉塞の問題点がより顕著なものとなってしまうからである。又、幅寸法の大きい端面板ｑは運搬が容易でないためにこれを複数分割せざるを得ないこともあるが、このように分割した場合は、分割板相互の止水施工が余分に必要となるために施工性が悪化する問題が生じることになる。又、分割板は剛性が不十分となり易いために、貯水の水圧が大きい場合はその変形が大きくなって止水不良が発生する恐れがある。
【０００７】
かかることから、前記第２の単位槽列ｍの幅（即ち、隣り合う第１の単位槽列ｇ，ｇ  間の間隔）を大きく設定することができなかったのであり、その結果、貯水槽ａを構成するために前記門形ブロックｅを多数個必要として施工コストが高価となる問題があったのである。又、該貯水槽ａの内部を清掃する等の貯水槽内部の維持管理に際しては、前記門形ブロックｅを構成する側板ｂが貯水槽の内部に密集状態となるために維持管理の作業性が良好でない問題もあった。
【０００８】
又、特許文献２記載の貯水槽ａは、図４９に示すように、側面ｕに連通開口ｖを有する複数個のボックスカルバートｗ，ｗを前後方向に且つ複数列に並設し、この各列のボックスカルバートｗの底部間に底板ｘを設け、各列のボックスカルバートｗの上部間に蓋板ｙを配置すると共に、ボックスカルバートｗの端面は、プレキャストコンクリート製の端面板で閉止してなる構成を有していたが、この場合も、該端面板を用いることによる問題点が特許文献１に係る貯水槽ａにおけると同様に発生した。
【先行技術文献】
【特許文献】
【０００９】
【特許文献１】特開平９−２７９６６９号公報
【特許文献２】特開昭６１−３５９８９号公報
【発明の概要】
【発明が解決しようとする課題】
【００１０】
本発明は前記従来の問題点に鑑みて開発されたものであり、強度的に安定しており、止水性能に優れると共に貯水槽内部の維持管理性に優れ、しかも施工能率の向上によって工期の短縮を達成でき、加えて施工コストの低減を期し得る貯水槽の提供を課題とするものである。
【課題を解決するための手段】
【００１１】
前記課題を解決するため本発明は以下の手段を採用する。
即ち本発明に係る貯水槽は、閉じた環状を呈し且つ上端が塞がれた環状水槽で取り囲まれてなる内部の空間が内部水槽とされてなる貯水槽であって、前記環状水槽は、一方向に直線状に延長する第１の直線状水槽と、これと直交する如く直線状に延長する第２の直線状水槽とが交差するコーナー交差部にコーナー部水槽が配設されている。そして、前記第１、第２の直線状水槽は、所要間隔を隔てて立設された対向する側板の上部相互が連結板で連結されてなるプレキャストコンクリート製の門形ブロックが、その長さ方向の端部相互を連通状態にして並設されることによって構成されると共に、前記環状水槽と前記内部水槽とを連通させる連通開口が該環状水槽に設けられており、又前記コーナー部水槽は、プレキャストコンクリートブロックを用いて構成され、上端が塞がれてなる、軸線が上下方向である筒状を呈しており、該コーナー部水槽の連結側面部に、前記第１、第２の直線状水槽の端部が当接状態に連結され、該端部に設けられている端部開口が、該連結側面部に設けた側面部開口に連通されていることを特徴とするものである。
【００１２】
該貯水槽において、前記コ−ナ−部水槽は、平面視で正方形状を呈する角筒体として構成し、その平面視における正方形の一辺の長さを前記第１、第２の直線状水槽の横断方向で見た幅寸法に略等しく設定するのがよい。又該貯水槽において、前記コーナー部水槽は、平面視で矩形状を呈する角筒体として構成し、最下端に配置される底部ブロックと、最上端に配置される頂部ブロックと、該底部ブロックと該頂部ブロックとの間に積重状態に配置される１個乃至複数個の中間ブロックを用いて構成し、該底部ブロックは、有底又は下端が開放された矩形状箱体として構成し、前記頂部ブロックは、上端が塞がれ且つ下端が開放された矩形状箱体として構成し、又前記中間ブロックは、上下端が開放された矩形状箱体として構成するのがよい。
【００１３】
前記の各貯水槽において、前記コ−ナ−部水槽に貯水排出部を設ける場合、該コ−ナ−部水槽の底部分を、水槽底部を掘り下げて設けた凹部に位置させることによって、該底部分をピットとすることができる。又、前記の各貯水槽において、前記内部水槽は、対向する前記第１の直線状水槽の対向部位相互、又は、対向する前記第２の直線状水槽の対向部位相互が、仕切りにより分割されたものとして構成することができる。又、前記の各貯水槽において、前記内部水槽は、対向する前記第１の直線状水槽の対向部位相互、又は、対向する前記第２の直線状水槽の対向部位相互を仕切りで連結することによって該仕切りにより分割されたものとし、該仕切りの上部に設けられた受部で、該分割により形成された分割水槽部の上端を閉蓋する蓋板の端部分を下方から支持させるように構成することができる。又、前記の各貯水槽において、前記環状水槽は、平面視で長方形状又は正方形状を呈したものとし、前記内部水槽は、対向する前記第１の直線状水槽の中央部位相互、又は、対向する前記第２の直線状水槽の中央部位相互を仕切りで連結することによって該仕切りにより左右に二分割されたものとして左右の分割水槽部を構成し、該仕切りの上部の左右側に受部を設けると共に、該左右の受部の一方と、該受部と対向して前記第１の直線状水槽又は前記第２の直線状水槽の、前記内部水槽に面する前記側板の外面上部に設けられた受部とによって、前記分割水槽部の上端を閉蓋するための蓋板の両端部分を支持させるように構成するのがよい。
【発明の効果】
【００１４】
本発明は以下の如き優れた効果を奏する。
(1) 本発明に係る貯水槽は、所要間隔を隔てて立設された対向する側板の上部相互が連結板で連結されてなるプレキャストコンクリート製の門形ブロックを用いてなる第１、第２の直線状水槽を、プレキャストコンクリートブロックを用いて構成され且つ上端が塞がれてなり軸線が上下方向である筒状を呈したコーナー部水槽を介して連通状態に連結することによって環状水槽を構成し、該環状水槽で取り囲まれてなる内部の空間を内部水槽とし、該環状水槽と該内部水槽とを連通させる連通開口を該環状水槽に設けた構成を有している。
【００１５】
このように本発明に係る貯水槽は、その外周面部を、前記門形ブロックの外側の側板と前記コーナー部水槽の外面とで構成しているのであり、特許文献１、２記載の貯水槽のように単位槽列の端部開放部を端面板で個別に閉塞するといった構成は採用していない。そのため本発明に係る貯水槽は、従来の貯水槽におけるような、端面板の捩じれ変形に伴う強度的不安定化を招来する恐れがない。加えて、該貯水槽の外周部を構成する前記環状水槽は全体としてボックス状を呈してその剛性が高い。かかることから本発明によるときは、強度的安定性に優れる貯水槽を構成できることとなる。
【００１６】
(2) 貯水槽の外周面部を端面板を用いて構成する前記従来の貯水槽にあっては、多数枚の端面板の捩じれ変形等が止水不良の原因となる問題があったのであるが、かかる端面板を必要としない本発明にあっては、このような止水不良の問題を招来せず、止水性に優れる貯水槽を構成できることとなる。
【００１７】
(3) 本発明によるときは、連結部材として機能し得るコーナー部水槽を介して第１、第２の直線状水槽を連結するだけで、自ずから貯水槽の外周面部を構成できることとなるので、従来のように、高度の止水を確保しながら多数枚の端面板をボルト固定しなければならないといった面倒さがない。加えて、平板状を呈していて自立できない端面板を安全に保持しながらボルト固定しなければならないといった施工安全上の対策も不要となる。かかることから本発明によるときは、貯水槽の施工能率の向上によって工期の短縮を達成でき、又、施工コストの低減を期し得ることとなる。
【００１８】
(4) 本発明に係る貯水槽は、第１、第２の直線状水槽を連結するための連結部材として前記コーナー部水槽を用いるため、例えば図２、図２８、図２９に示すように該コーナー部水槽を介して前記第１、第２の直線状水槽をＬ字状に連結でき、或いは、例えば図２８や図２９に示すように該コーナー部水槽を介して第２の直線状水槽相互を連結でき、更には第１の直線状水槽相互を直線状に連結することもできる。又、例えば図４２に示すように、第１、第２の直線状水槽をＴ字状に連結することができるなど、直線状水槽を多様に連結でき、これによって、敷地の形状に合わせて、例えば実施例２や実施例３で示すような、平面視で階段状を呈する貯水槽を合理的に構成できることとなる。
【００１９】
(5) コーナー交差部に配設される前記コーナー部水槽は、雨水を流入させる流入部や貯水を排出させる貯水排出部を設けるために用いて好適である。その際、該コーナー部水槽の底部分を水槽底部を掘り下げて設けた凹部に位置させることにより、該底部分を、土砂堆積機能を有する堆砂ピットとして機能させたり、貯水を排出させるための排水用水中ポンプを設置するためのポンプピットとして有効活用できることとなる。
【００２０】
かかることから本発明によるときは、現場打ちコンクリートによって堆砂ピットやポンプピットを形成するための付帯工事を不要として該底部分によってかかるピットを構成できるため、この面からも、工期の短縮と施工コストの低減を図り得る。
【００２１】
(6) 前記コーナー部水槽を、平面視で正方形状を呈する角筒体として構成すると共に、その平面視における正方形の一辺の長さを前記第１、第２の直線状水槽の横断方向で見た幅寸法（即ち、前記門形ブロックの幅寸法）に略等しく設定する場合は、第１、第２の直線状水槽を略同様構成の門形ブロックを用いて構成できることとなる。
【００２２】
かかることから本発明によるときは、貯水槽を構成するための部材の種類を削減できると共に部材相互の接合手段を単純化でき、確実な止水を容易に行うことが可能となるので、これらによって工事の種類を削減でき、工期の短縮と施工コストの低減を図り得ることとなる。
【００２３】
(7) 前記コーナー部水槽を、最下端に配置される底部ブロックと、最上端に配置される頂部ブロックと、両者間に配置される１個乃至複数個の中間ブロックを用いて構成する場合は、前記底部ブロックと前記頂部ブロックを共通に用いながら、前記中間ブロックの高さを所要に設定すると共に使用する中間ブロックの個数を所要に設定することより、前記第１、第２の直線状水槽の計画高さに応じてコーナー部水槽の高さを所要に設定することができる。かかることから、コ−ナ−部水槽を施工性よく構成できることとなる。  
【００２４】
(8) 本発明に係る貯水槽は、前記環状水槽で取り囲まれてなる内部の空間を内部水槽とするため、貯水槽の内部に広い空間を形成可能であり、貯水槽の維持管理性を向上させることができる。
【００２５】
そして貯水槽の強度は、前記のように、ボックス状を呈する環状水槽で確保されているため、広い空間である該内部水槽は、上端開放状態にしてもよい。このように構成する場合は、貯水槽の維持管理性の向上に加えて、工期の短縮と施工コストの低減を期し得ることとなる。該内部水槽の上端を蓋板で閉蓋する場合であっても、該蓋板の長スパン化が可能であるため、内部水槽を広い空間に形成できることとなる。又、該内部水槽の幅方向の中間部位に仕切りを設け該仕切りの上端で蓋板の端部分を支持して該上端を該蓋板で閉蓋する構成を採用する場合にあっても、蓋板の長スパン化が可能であることから前記内部水槽を広い空間に形成できることとなる。
【００２６】
特許文献１、２記載の貯水槽のように単位槽列の端部開放部を端面板で閉塞する場合は、捩れ等の変形が端面板に発生しやすいことから該端面板の長さに制約が伴い、従って幅の大なる単位槽列を構成できなかったのであるが、本発明に係る貯水槽にあっては該端面板を必要としないため、幅の大なる内部水槽の構成が可能となり、内部水槽に広い空間を形成できることとなるのである。
【００２７】
なお、前記内部水槽の上端を蓋板で閉蓋する場合は、貯水槽の強度的安定性を更に向上させ得る。
【図面の簡単な説明】
【００２８】
【図１】貯水槽の全体構成を説明する斜視図である。
【図２】貯水槽の全体構成を説明する平面図である。
【図３】貯水槽の全体構成を説明する断面図である。
【図４】第１の直線状水槽を構成する第１のブロック連結体と第２の直線状水槽を構成する第２のブロック連結体と、コーナー部水槽を構成するコーナーブロック連結体を示す斜視図である。
【図５】第１、第２のブロック連結体とコーナーブロック連結体を示す斜視図である。
【図６】第１のブロック連結体の一部分と、内部水槽の仕切りを構成する仕切りブロック連結体を示す斜視図である。
【図７】図２におけるＡ−Ａ断面図である。
【図８】図２におけるＢ−Ｂ断面図である。
【図９】図２におけるＣ−Ｃ断面図である。
【図１０】図２におけるＤ−Ｄ断面図である。
【図１１】図２におけるＥ−Ｅ断面図である。
【図１２】図２におけるＦ−Ｆ断面図である。
【図１３】第１、第２、第３の門形ブロックを示す斜視図である。
【図１４】第１、第２のブロック連結体をコーナーブロック連結体を介して連結した状態を示す斜視図である。
【図１５】第１のブロック連結体とコーナーブロック連結体との連結状態を示す正面図である。
【図１６】下の連結棒を用いて、第１、第２のブロック連結体をコーナーブロック連結体を介して連結した状態を示す断面図である。
【図１７】第１のブロック連結体とコーナーブロック連結体とを下の連結棒を用いて連結した状態を示す断面図である。
【図１８】その部分拡大図である。
【図１９】下の連結棒を用いて、第１、第２のブロック連結体をコーナーブロック連結体を介して連結した状態を示す断面図である。
【図２０】上の連結棒を用いて、第１、第２のブロック連結体をコーナーブロック連結体を介して連結した状態を示す平面図である。
【図２１】その断面図である。
【図２２】第１のブロック連結体とコーナーブロック連結体とを上の連結棒を用いて連結した状態を示す断面図である。
【図２３】蓋板を門形ブロックに連結した状態を示す断面図である。
【図２４】コーナー部水槽の全体構成を示す斜視図である。
【図２５】コーナー部水槽を構成するコーナーブロック連結体を示す分解斜視図である。
【図２６】流入管を接続する接続口を構成するための欠切部を具えた第２の中間ブロックと頂部ブロックを示す斜視図である。
【図２７】排出管を接続する接続口を具えた底部ブロックを示す斜視図である。
【図２８】平面視で階段状を呈する貯水槽の一例を示す平面図である。
【図２９】平面視で階段状を呈する貯水槽の他の例を示す平面図である。
【図３０】Ｉ形ブロックを用いて構成した仕切り壁体を具える貯水槽の全体構成を示す斜視図である。
【図３１】基礎コンクリート上で、第１、第２のブロック連結体をコーナーブロック連結体を介して正方形状に枠組み連結状態にすると共にその内部の空間に前記仕切り壁体を配置した状態を示す斜視図である。
【図３２】仕切り壁体を構成する第１、第２のＩ形ブロックを示す斜視図である。
【図３３】Ｉ形ブロックの上端に蓋板の端部分を固定した状態を示す断面図である。
【図３４】前後の直線状水槽間に前記仕切り壁体を配置した状態を示す平面図である。
【図３５】第１の直線状水槽を構成する第１のブロック連結体の一部分と仕切り壁体を示す斜視図である。
【図３６】仕切り壁体で内部水槽を二分割する場合において一方の分割水槽部を閉鎖された水槽部とする場合における、環状水槽と仕切り壁体の配置状態を示す斜視図である。
【図３７】ボックス状のブロックを用いて構成された貯水槽と、これを構成するボックス状のブロックを示す斜視図である。
【図３８】下部相互の両端部が耐力梁で連結されてなる門形ブロックを用いて構成された第１のブロック連結体の一部分を示す斜視図と、該耐力梁による該下部相互の連結状態を示す部分拡大図である。
【図３９】両側板の下部相互を連結してなる門形ブロックを用いて構成された環状水槽を示す断面図である。
【図４０】両側板の下部相互が耐力梁で連結されてなる門形ブロックの他の態様を示す斜視図である。
【図４１】流量調整口と越流用開口が設けられてなるコーナー部水槽をその使用状態で示す断面図と一部欠切斜視図である。
【図４２】第１の直線状水槽の中間部にコーナー部水槽を配置し、仕切り水槽と該コーナー部水槽とを上下の連結棒を用いて連結一体化した状態を示す平面図である。
【図４３】蓋板の端部分を支持する受部の他の態様を示す断面図である。
【図４４】上下二槽形の貯水槽を例示する断面図である。
【図４５】従来の貯水槽の一例を示す斜視図である。
【図４６】その部分構成を説明する斜視図である。
【図４７】その断面図である。
【図４８】従来の貯水槽の問題点を説明する断面図である。
【図４９】従来の貯水槽の他の例を示す断面図である。
【発明を実施するための形態】
【実施例１】
【００２９】
図１〜３において本発明に係る貯水槽１は、閉じた環状を呈し且つ上端２が塞がれた環状水槽３で取り囲まれてなる内側の空間が内部水槽４とされており、該環状水槽３と該内部水槽４とを連通させる所要形態の連通開口２７が該環状水槽３に設けられている。該環状水槽３は、一方向に直線状に延長する第１の直線状水槽５と、これと直交する如く直線状に延長する第２の直線状水槽６とが交差するコーナー交差部７に、上端２８が塞がれてなる、軸線が上下方向である筒状を呈するコーナー部水槽８が配設されている。該コ−ナ−部水槽８は、該第１の直線状水槽５と該第２の直線状水槽６とを連結する連結部材として機能している。
【００３０】
本実施例において前記環状水槽３は、図１〜３に示すように、平面視で、左右方向Ｆ１に稍長い長方形環状を呈しており、左右方向Ｆ１に直線状に延長する水槽５ａが前記第１の直線状水槽５とされる一方、前後方向（前記左右方向Ｆ１と直交する方向）Ｆ２に直線状に延長する水槽６ａが前記第２の直線状水槽６とされている。又前記内部水槽４は、図１〜３に示すように、前後に位置する対向した前記第１の直線状水槽５，５の長さ方向の中央部位９，９相互を連結する仕切り１０により左右に二分割されて左右の分割水槽部１１，１２とされている。該仕切り１０は、本実施例においては仕切り水槽１０ａとして構成されている。そして前記コ−ナ−部水槽８は、前記環状水槽３の四つのコ−ナ−交差部７, ７, ７, ７の夫々に配設されている。
【００３１】
前記第１、第２の直線状水槽５，６は、共に、プレキャストコンクリート製の門形ブロック１３を、例えば図３に示すように、その長さ方向の端部１４，１４相互を連通状態にして並設することにより構成されている。そして該門形ブロック１３は、例えば図４に示すような、所要間隔を隔てて立設された対向する側板１５，１６の上部１７，１９相互が連結板２０で連結された門形を呈している。
【００３２】
又本実施例においては、図３〜４に示すように、該第１、第２の直線状水槽５，６と前記内部水槽４とを連通させる前記連通開口２７が、前記対向する側板１５，１６の内の、前記内部水槽４に面する側板１５の所要のものに設けられている。又前記仕切り水槽１０ａも、図３、図６に示すように、前記と略同様構成の門形ブロック１３を用いて構成されており、前記両側板１５，１６の所要のものに連通開口２７が設けられている。
【００３３】
又前記コーナー部水槽８は、本実施例においては図１〜２に示すように、上端２８が塞がれてなる、軸線が上下方向である、平面視で正方形状の角筒体として構成されており、該コーナー部水槽８の内側の隣り合う連結側面部２９，３０に、前記第１、第２の直線状水槽５，６の端部３１，３２が当接状態に連結されている。そして図３に示すように、該端部３１，３２に設けられている端部開口３３，３５が、該内側の連結側面部２９，３０に設けた側面部開口３６，３７に連通する如くなされている。
【００３４】
本実施例においては、図１に示すように、前記左右の分割水槽部１１，１２の上端３８が、同一長さの蓋板３９の多数枚で閉じられており、又図３、図７〜１２に示すように、前記第１、第２の直線状水槽５，６、前記仕切り水槽１０ａ、前記左右の分割水槽部１１，１２の水槽底部４０は、底打ちコンクリートの打設によって形成されている。又本実施例においては、対角位置に存するコーナー部水槽８ａ，８ｂの内の一方８ａに設けた流入部４１を通して該コーナー部水槽８ａ内に雨水が流入するようになされると共に、他方のコーナー部水槽８ｂに設けた貯水排出部４２から雨水が排出されるようになされている。該流入部４１は例えば図８（Ａ）（Ｂ）に示すように、流入管４３を以て構成されており、該流入管４３の端部分４５を、一方のコーナー部水槽８ａの外側の側面部４６に設けた接続口４９に挿入状態に接続することによって構成されている。又前記貯水排出部４２は図７（Ａ）（Ｂ）に示すように、排出管５０を以て構成されており、該排出管５０の端部分５１を、他方のコーナー部水槽８ｂの外側の側面部４６に設けた接続口５２に挿入状態に接続することによって構成されている。
【００３５】
以下、これをより具体的に説明する。前記第１の直線状水槽５は、図４に示すように、第１の門形ブロック１３ａと第２の門形ブロック１３ｂと第３の門形ブロック１３ｃを用いて構成されている。該第１、第２、第３の門形ブロック１３ａ，１３ｂ，１３ｃは、図１３に示すように、共に、所要間隔を隔てて立設された対向する側板１５，１６の上部１７，１９相互が連結板２０で連結されてなる門形を呈した基本構成を有する。そしてこれらの門形ブロックにおいて、そのブロック幅Ｌ１は等しく設定されると共に、そのブロック長さＬ２、そのブロック高さＬ３も等しく設定されている。本実施例においては、該ブロック幅Ｌ１は２５００ｍｍに、そのブロック長さＬ２は１５００ｍｍに、そのブロック高さＬ３は３９４０ｍｍに設定されている。
【００３６】
又、前記両側板１５，１６の下部２１，２２には、ブロック長さ方向に延長する下の連結孔２３，２３が貫設されている。又前記連結板２０の両側（ブロック幅方向の両側）において、ブロック長さ方向に延長する上の連結孔２５，２５が貫設されている。
【００３７】
そして前記第１の門形ブロック１３ａは、図１３（Ａ）に示すように、前記両側板１５，１６が平板状を呈している。又前記第２の門形ブロック１３ｂは、図１３（Ｂ）に示すように、前記内部水槽４に面する側板１５に、上下方向に長く形成され且つ上下の隅部が傾斜辺に形成された八角形状の前記連通開口２７が設けられている点で、前記第１の門形ブロック１３ａと相違する。又前記第３の門形ブロック１３ｃは、該第２の門形ブロック１３ｂを構成する一方側板１５について、前記連通開口２７の下辺の水平上面５５に、前記下の連結孔２３を左右方向で分断するように該水平上面５５で開放するナット締め用の下の定着凹部５６ａが設けられている点と、他方の側板１６の下部２２の内面５７のブロック長さ方向で見た中央部位に、前記下の連結孔２３を左右方向で分断するように該内面５７で開放するナット締め用の下の定着凹部５６ｂが設けられている点と、前記連結板２０の上面５８の両側部分に、ブロック長さ方向で見た中央部分に位置させて、前記上の連結孔２５を分断するように、上端開放のナット締め用の上の定着凹部５９ａ，５９ａが設けられている点で、前記第２の門形ブロック１３ｂと相違する。
【００３８】
然して前記第１の直線状水槽５を構成するに際しては、先ず図１４に示すように、基礎コンクリート６０上で、前記第３の門形ブロック１３ｃを中央に配置すると共に、その両側に前記第１の門形ブロック１３ａ，１３ａを、図３に示すように、端部１４，１４相互を連通状態にして配置し、これらに連なるように前記第３の門形ブロック１３ｃ，１３ｃを配置し、又、これらに連なるように前記第２の門形ブロック１３ｂ，１３ｂを配置し、更にこれらに連なるように前記第３の門形ブロック１３ｃ，１３ｃを配置する。そして、これら９個の門形ブロックの全体を上下の連結棒６２，６３（図１５）で連結一体化することによって、前記第１の直線状水槽５用の第１のブロック連結体６５（図１４）を構成する。なお、図示は省略しているが、ブロック相互間には適宜止水材が介在される。
【００３９】
この連結一体化は、本実施例においては図２、図１５〜２２に示すように、両端部分がネジ軸部６６，６６とされた１３ｍｍ径のＰＣ鋼棒からなる前記上下の連結棒６２，６３を用いて、３個ずつの門形ブロックを、上下側で順次連結一体化することにより行われる。この連結一体化の工程を、図４の右側に配置されている３個の門形ブロック１３ｃ，１３ｂ，１３ｃをその上下側で連結一体化する場合に代表させて説明する。
【００４０】
下側の連結に際しては、図１５〜１９に示すように、３個の門形ブロック１３ｃ，１３ｂ，１３ｃの、連通状態にある下の連結孔２３，２３，２３に前記下の連結棒（ＰＣ鋼棒）６３を挿通させ、前記ネジ軸部６６，６６を、両端に位置する門形ブロック１３ｃ，１３ｃの前記下の定着凹部５６ａ，５６ａ、５６ｂ，５６ｂで突出状態とする。この状態で、該突出したネジ軸部６６，６６に座金６７，６７を介しナット６９，６９を螺合し、該ナット６９，６９を締め付けて該下の連結棒６３を緊張状態とする。該ナット６９，６９の締め付けは、該下の定着凹部５６ａ，５６ａ、５６ｂ，５６ｂの開放上端を通して容易に行うことができる。
【００４１】
又、上側の連結に際しては、図１５、図２０〜２２に示すように、３個の門形ブロック１３ｃ，１３ｂ，１３ｃの連通状態の上の連結孔２５，２５，２５に、前記上の連結棒（ＰＣ鋼棒）６２を挿通させ、前記ネジ軸部６６，６６を、前記上の定着凹部５９ａ，５９ａ、５９ｂ，５９ｂで突出状態とする。この状態で、該突出したネジ軸部６６，６６に座金６７，６７を介してナット６９，６９を螺合し、該ナット６９，６９を締め付けて該上の連結棒６２を緊張状態とする。このように緊張状態として後、前記上下の定着凹部５９ａ，５９ｂ，５９ａ，５９ｂに無収縮モルタルやグラウト等の充填材１２２を充填する。
【００４２】
図４に記載されている第１のブロック連結体６５において、その左側に配置されている３個の門形ブロック１３ｃ，１３ｂ，１３ｃ、中間の左右側に配置されている３個の門形ブロック１３ｃ，１３ａ，１３ｃ、１３ｃ，１３ａ，１３ｃも、前記と同様にして前記上下の連結棒６２，６３で連結する。このようにして連結することにより、図４に示す前記第１のブロック連結体６５を構成できる。
【００４３】
前記第２の直線状水槽６は、第４の門形ブロック１３ｄと第５の門形ブロック１３ｅを用いて構成されている。該第４の門形ブロック１３ｄは、図４、図２３に示すように、前記第２の門形ブロック１３ｂにおいて、前記内部水槽４に面する側板１５の外面上部に、図１２に示すように前記蓋板３９の端部分７０を下方から支持する、水平な受面７１を有する受部７２を突設した構成を有している。該受部７２が該端部分７０を支持した状態で、図２３に示すように、該端部分７０の上面７３は前記連結板２０の上面７５と面一を呈する。その他の構成は前記第２の門形ブロック１３ｂにおけると同様であるため、図４において、同様の構成部分には同一の符号を付している。
【００４４】
又前記第５の門形ブロック１３ｅは、図４、図２３に示すように、前記第３の門形ブロック１３ｃにおいて、前記内部水槽４に面する側板１５の外面上部に、前記と同様構成の受部７２を突設してなる。その他の構成は前記第３の門形ブロック１３ｃにおけると同様であるため、図４において、同様の構成部分には同一の符号を付している。
【００４５】
然して前記第２の直線状水槽６を構成するに際しては、先ず図１４に示すように、基礎コンクリート６０上で、第５の門形ブロック１３ｅ、第５の門形ブロック１３ｅ、第４の門形ブロック１３ｄ、第５の門形ブロック１３ｅ、第４の門形ブロック１３ｄ、第５の門形ブロック１３ｅ、第４の門形ブロック１３ｄ、第５の門形ブロック１３ｅを、この順序で並設状態に配置すると共に、これら８個の門形ブロックの全体を上下の連結棒６２，６３で連結一体化する。この連結一体化は、前記第１の直線状水槽５を構成する場合について説明したところと同様にして、２個又は３個ずつの門形ブロックを、順次連結一体化することにより行われる。このようにして連結することにより、前記第２の直線状水槽６用の第２のブロック連結体７６を構成する。
【００４６】
又前記仕切り水槽１０ａは、図２、図６、図１２に示すように、第６の門形ブロック１３ｆと第７の門形ブロック１３ｇを用いて構成されている。該第６の門形ブロック１３ｆは、図６、図１２に示すように、前記第１の門形ブロック１３ａにおいて、前記両側板１５，１６に、前記と同様構成の連通開口２７，２７が設けられると共に、該両側板１５，１６の外面上部に、前記と同様構成の受部７２，７２が突設された構成を有している。その他の構成は前記第１の門形ブロック１３ａにおけると同様であるため、図６において、同様の構成部分には同一の符号を付している。
【００４７】
又前記第７の門形ブロック１３ｇは、図６に示すように、前記第３の門形ブロック１３ｃにおいて、他方の側板１６にも、前記と同様構成の連通開口２７が設けられた構成を有しており、両側板１５，１６の外面上部には、図１２、図２３に示すと同様にして、前記と同様構成の受部７２，７２が突設されている。その他の構成は前記第３の門形ブロック１３ｃにおけると同様であるため、図６において、同様の構成部分には同一の符号を付している。
【００４８】
然して前記仕切り水槽１０ａを構成するに際しては、図２、図６、図１１に示すように、基礎コンクリート６０上で、その一端側から他端側に向けて、第７の門形ブロック１３ｇ、第７の門形ブロック１３ｇ、第６の門形ブロック１３ｆ、第７の門形ブロック１３ｇ、第６の門形ブロック１３ｆ、第７の門形ブロック１３ｇ、第６の門形ブロック１３ｆ、第７の門形ブロック１３ｇを並設状態に配置し、これら８個の門形ブロックの全体を上下の連結棒６２，６３で連結一体化する。この連結一体化は、前記第１の直線状水槽５の構成に関して説明したところと同様である。このようにして連結することにより、前記仕切り水槽１０ａ用の仕切りブロック連結体７７（図６）を構成する。
【００４９】
前記コーナー部水槽８は、本実施例においては図１〜３、図７〜８に示すように、前記上端２８の外側の一辺７９に寄せて設けられたマンホール８０に筒状部材８１が立設されてなる、平面視で正方形状を呈し且つ軸線が上下方向である角筒体として構成されおり、前記コーナー交差部７の内側に位置する隣り合う前記連結側面部２９，３０には側面部開口３６，３７が設けられている。本実施例においては、平面視における一辺の長さが、前記第１、第２の直線状水槽５，６の横断方向で見た幅寸法に略等しく設定されており、前記門形ブロック１３の幅寸法に等しい２５００ｍｍ程度に設定されている。そして図１に示すように、該コーナー部水槽８の上面２８と前記第１、第２の直線状水槽５，６の上面７４，７８は略面一に形成されている。
【００５０】
かかる構成を有するコーナー部水槽８は、本実施例においては図２４〜２７に示すように、平面視で正方形状を呈する角筒体として構成されており、複数のプレキャストコンクリート製のブロックを積重して構成されている。より具体的には、該コーナー部水槽８は、有底で上端８６が開放した、平面視で矩形箱体（本実施例においては正方形状箱体）を呈する底部ブロック８２と、上端８７が塞がれ且つ下端８９が開放された、平面視で矩形箱体（本実施例においては正方形状箱体）を呈する頂部ブロック８３と、該底部ブロック８２と該頂部ブロック８３との間に介在される１個乃至複数個の中間ブロック８５とを具えており、該中間ブロック８５は、上端９０と下端９１が開放された矩形箱体（本実施例においては正方形状箱体）として構成されている。該中間ブロック８５は、本実施例においては図２５が示すように、第１の中間ブロック８５Ａと第２の中間ブロック８５Ｂの２個のブロックからなる。
【００５１】
そして図２５に示すように、前記底部ブロック８２の内側の隣り合う側面部８２ａ，８２ｂと前記第１の中間ブロック８５Ａの内側の隣り合う側面部８５Ａａ，８５Ａｂと前記第２の中間ブロック８５Ｂの内側の隣り合う側面部８５Ｂａ，８５Ｂｂには、前記側面開口３６，３７を形成するための欠切部８４ａ，８４ｂ，８４ｃと、欠切部８５ａ，８５ｂ，８５ｃが設けられている。又、前記コーナー部水槽８ａを構成する前記第２の中間ブロック８５Ｂの外側の側面部８２ｃと前記頂部ブロック８３の外側の側面部８３ｃには、図８、図２５に示すように、前記流入管４３の端部分４５を接続するための接続口４９を構成する半円弧状の欠切部８８ａ，８８ｂが設けられると共に、図７、図２７に示すように、前記コーナー部水槽８ｂを構成する前記底部ブロック８２の外側の側面部８２ｃには、前記排出管５０の端部分５１を接続するための接続口５２が設けられている。
【００５２】
前記コ−ナ−部水槽９を構成する施工手順は、図７、２４に示すように、基礎コンクリート６０上の前記コ−ナ−交差部７で、前記底部ブロック８２を設置すると共に該底部ブロック８２上に前記第１の中間ブロック８５Ａを載置する。その上に前記第２の中間ブロック８５Ｂを載置し、更にその上に前記頂部ブロック８３を載置する。又、該頂部ブロック８３の外側の前記一辺７９に寄せて設けたマンホール８０に連通させて前記筒状部材８１を立設する。そして前記コーナー部水槽８の内部の前記一辺７９側の内壁部９２には、作業者が昇降するためにステップ９３（図７）を設け、該筒状部材８１の上端を蓋体９５で開蓋可能に閉じる。そして、前記底部ブロック８２と前記第１の中間ブロック８５Ａと前記第２の中間ブロック８５Ｂと前記頂部ブロック８３を、図示しないＰＣ鋼棒等の連結棒や連結金具等を用いて連結一体化することにより、コーナー部水槽構成用のコーナーブロック連結体９６を構成する。
【００５３】
そして図２４に示すように、該コーナーブロック連結体９６の前記内側に位置する連結側面部２９，３０の一方２９の上下端側には、上下の定着凹部９７ａ，９７ｂ、９９ａ，９９ｂが設けられている。該上下の定着凹部９７ａ，９７ｂ、９９ａ，９９ｂは、本実施例においては、角筒状を呈する鋼製枠１００を以て構成されており、該鋼製枠１００の一方の側片１０１に、前記第１のブロック連結体６５の端部に位置する前記第３の門形ブロック１３ｃの上下に設けられている上下の連結孔２５，２３（図１５）と連通し得る挿通孔１０２，１０３が設けられている。該鋼製枠１００は、図１８、図２１、図２２に示す如く、該挿通孔１０２，１０３を挿通して該定着凹部内９７ａ，９７ｂ、９９ａ，９９ｂ内に突出したネジ軸部６６にナット６９を螺合させこれを締め付けることができるように、外方又は上方に向けて開放されている。本実施例においては図２４〜２５に示すように、前記底部ブロック８２に前記定着凹部９９ａ，９９ｂが設けられる一方、前記頂部ブロック８３に前記定着凹部９７ａ，９７ｂが設けられている。
【００５４】
又図２４に示すように、前記連結側面部２９，３０の他方３０の上下端側には、前記第２のブロック連結体７６の端部に位置する前記第５の門形ブロック１３ｅの上下に設けられている上下の連結孔２３，２５と連通し得る連結孔１０５，１０６が、鋼製枠１００の他方の側片１０４に設けられている。
【００５５】
次に、前記第１のブロック連結体６５の端部に位置する第３の門形ブロック１３ｃ、前記第２のブロック連結体７６の端部に位置する前記第３の門形ブロック１３ｅを夫々、コーナー交差部７に位置するコーナー部水槽体８の対応の前記連結側面部２９，３０（図１４）に、上下の連結棒６２，６３を用いて連結する施工工程を説明する。
【００５６】
先ず、該下の連結棒６３による連結施工を説明すれば、図１７〜１８に示すように、前記下の連結孔２３の外端側の連結孔２３ａに挿通させた該下の連結棒６３のネジ軸部６６，６６を、前記第３の門形ブロック１３ｃ、前記第５の門形ブロック１３ｅの前記下の定着凹部５６ａ，５６ｂと前記底部ブロック８２の前記下の定着凹部９９ａ，９９ｂで突出させる。そして、突出した該ネジ軸部６６，６６に座金６７を介してナット６９を螺合し、該下の定着凹部５６ａ，５６ｂ、９９ａ，９９ｂで該ナット６９，６９を締め付けることによって該下の連結棒６３を所要の緊張状態にする。
【００５７】
次に、前記上の連結棒６２による連結施工を説明すれば、図２０〜２２に示すように、前記上の連結孔２５の外端側に位置する連結孔２５ａに挿通させた上の連結棒６２のネジ軸部６６，６６を、前記第３の門形ブロック１３ｃ、前記第５の門形ブロック１３ｅの前記上の定着凹部５９ａ，５９ｂと前記頂部ブロック８３の前記上の定着凹部９７ａ，９７ｂで突出させる。そして、該突出したネジ軸部６６，６６に座金６７を介してナット６９を螺合し、該上の定着凹部５９ａ，５９ｂ、９７ａ，９７ｂで該ナット６９，６９を締め付けることによって該上の連結棒６２を所要の緊張状態にする。
【００５８】
又、本実施例においては図２に示すように、前記仕切りブロック連結体７７の両端に位置する第７の門形ブロック１３ｇ，１３ｇの外端面１０７，１０７は、前記第１のブロック連結体６５，６５の内側面１０９，１０９（前記側板１５の外面）に当接状態にはあるが、該内側面１０９，１０９に連結されてはいない。そして該当接状態で、該仕切りブロック連結体７７の両端部に設けられている端部開口１０８，１１４が、図３、図７〜８に示すように、前記第３の門形ブロック１３ｃ，１３ｃの側板１５，１５に設けられている前記連通開口２７，２７に連通状態となる。
【００５９】
このようにして、前記基礎コンクリート６０上で前記第１、第２のブロック連結体６５，７６と前記仕切りブロック連結体７７を所要に設置すると共に、該第１、第２のブロック連結体６５，７６の両端を、前記四つのコーナー交差部７，７，７，７に配設されているコーナーブロック連結体９６，９６，９６，９６に連結状態とする（図１〜２）。
【００６０】
然して図７〜１２に示すように、前記第１、第２のブロック連結体６５，７６の底部、前記仕切りブロック連結体７７の底部、該仕切りブロック連結体７７の両側に形成されている空間部分１１０，１１０の底部に底打ちコンクリート１１１が打設されることによって、又、必要に応じて前記コ−ナ−ブロック連結体９６の底部にも底打ちコンクリート１１１が打設されることによって、水槽底部１１２が形成される。本実施例においては、該水槽底部１１２の上面１１３が前記連通開口２７の下端１１５と略面一に形成されている。なお該水槽底部１１２の上面１１３は、前記排水部４２に向けて０．５％程度の水勾配を有する如く形成するのがよい。なお、有底の底部ブロック８２を具えるコーナーブロック連結体９６がそのままコ−ナ−部水槽８となる場合がある他、該コーナーブロック連結体９６や、下端が開放された底部ブロック８２を具えるコーナーブロック連結体９６において、底打ちコンクリート１１１の打設によってコ−ナ−部水槽８となる場合がある。
【００６１】
このようにして底打ちコンクリート１１１を打設することにより、前記第１、第２の直線状水槽５，６と前記コーナー部水槽８からなる前記環状水槽３が構成される。かかる構成を有する環状水槽３と前記仕切り水槽１０ａと、左右の分割水槽部１１，１２とにより前記貯水槽１が構成されることとなる。
【００６２】
該貯水槽１において前記第１、第２の直線状水槽５，６は、図３に示すように、その端部に設けられている端部開口３３，３５が前記コーナー部水槽８の連結側面部２９，３０に設けられている側面部開口３６，３７に連通状態となり、前記第１、第２の直線状水槽５，６と前記内部水槽４（前記仕切り水槽１０ａと前記分割水槽部１１，１２とからなる）は、前記連通開口２７で連通されている。又、前記仕切り水槽１０ａと前記左右の分割水槽部１１，１２とは前記連通開口２７で連通されている。
【００６３】
そして図１に示すように、かかる構成を有する貯水槽１の外周面部１１６は、前記環状水槽３の外周面部１１７によって構成されている。そのため、前記した従来の貯水槽における如く、貯水槽の外周面部を構成するために、平板状を呈する前記端面板ｑを用いる必要がない。即ち、コーナー交差部７に配設されたコーナー部水槽８を介して第１、第２の直線状水槽５，６を連結するだけで、自ずから貯水槽１の外周面部１１６を構成できることとなるので、従来のように、多数枚の端面板ｑをボルト固定しなければならないといった面倒さがなく、貯水槽１の施工能率の向上によって工期の短縮を達成でき、施工コストの低減も期し得る。
【００６４】
然も、貯水槽１の外周面部１１６が前記門形ブロック１３の外側の側板１６と前記コーナー部水槽８の外面とで構成されているため、従来のように多数の端面板ｑを用いて貯水槽の外周面部を構成する場合とは異なり、止水性に優れる貯水槽を構成できることとなる。
【００６５】
又、前記第１、第２の直線状水槽５，６がボックス状を呈しており、これらが、ボックス状を呈する前記コーナー部水槽８に連結一体化されているため、貯水槽１は強度的に安定している。
【００６６】
なお前記左右の水槽部１１，１２は、施工コスト低減の要請から、その上端を開放状態にしてもよいのであるが、本実施例においては図１〜２、図１２に示すように、前記第２の直線状水槽６と前記仕切り水槽１０ａを構成する門形ブロックに設けた、左右対向する受部７２，７２で蓋板３９の両端部分７０，７０を支持させることとし、これによって、該左右の水槽部１１，１２の上端１１９，１１９を塞がれた状態となし得る。このように本実施例においては、前記内部水槽４の上端が蓋板３９で閉蓋されているため、該貯水槽１の強度的安定性が更に向上されている。なお、用いる各蓋板３９の長さは同一に設定されている。
【００６７】
図２３は、前記蓋板３９の両端部分７０，７０を前記受部７２に固定する手段の一例を示すものであり、該受部７２の前記受面７１で植設された接合用ボルト１２０を前記端部分７０に設けた接合孔１２１に挿通させると共に、該接合孔１２１内に、無収縮モルタルやグラウト等の充填材１２２を充填し、該充填材１２２の硬化によって、該端部分７０を該受部７２に固定するようになされている。
【００６８】
そして図１に示すように、かかる構成を有する貯水槽１の外周面部１１６が前記門形ブロック１３の外側の側板１６と前記コーナー部水槽８の外面１２３，１２３とで構成されているため、従来のように、多数の端面板ｑの捩じれ変形等が止水不良の原因となるといった問題を招来しない。従って、該端面板ｑを用いて貯水槽１の外周面部１１６を構成する場合とは異なり、止水性に優れる貯水槽１を構成できることとなる。
【００６９】
加えて、貯水槽１の内部に、より広い空間を形成可能であるため、貯水槽内部の維持管理性を向上させ得る。
【００７０】
なお本実施例においては、図２、図７〜１２に示すように、前記基礎コンクリート６０の縁部分で規制立壁１２５を立設し、該規制立壁１２５が、前記第１、第２の直線状水槽５，６の下端部分の外面１２７，１２８及び、前記コーナー部水槽８の下端部分の外面１３０に当接する如く構成されているため、貯水槽１が地震時等の振動によって横ずれするのを効果的に規制できる利点がある。又該規制立壁を、貯水槽１に外部からの水が進入するのを抑制するための遮水壁として機能させることができる。
【実施例２】
【００７１】
図２８は、平面視で階段状を呈する如く構成された貯水槽１を示すものである。該貯水槽１は、平面視で左右方向Ｆ１に稍長い長方形状の大容積の水槽部１Ａに、正方形状の小容積の水槽部１Ｂを連ねた二段の階段状を呈しており、該貯水槽１を構成する環状水槽３は、左右方向Ｆ１に延長する前記第１の直線状水槽５Ａの両端１２４，１２８に前記コ−ナ−部水槽８Ａ，８Ｂが連結されている。そして該左右のコ−ナ−部水槽８Ａ，８Ｂに、前記前後方向Ｆ２で見て同方向に延長する前記第２の直線状水槽６Ａ，６Ｂが連結されており、右側の第２の直線状水槽６Ｂの延長長さは、左側の第２の直線状水槽６Ａの延長長さの半分程度に設定されると共に、該両第２の直線状水槽６Ａ，６Ｂの端部１３１，１３２に前記コ−ナ−部水槽８Ｃ，８Ｄが連結されている。又、該両コ−ナ−部水槽８Ｃ，８Ｄに、前記第１の直線状水槽５Ｂ，５Ｃが、左右方向で見て内方向に連結されており、該両第１の直線状水槽５Ｂ，５Ｃの端部１３３，１３５に前記コ−ナ−部水槽８Ｅ，８Ｆが連結されている。又、該両コ−ナ−部水槽８Ｅ，８Ｆの対向部１３６，１３７相互を連結するように前記第２の直線状水槽６Ｃが配設されている。  
【００７２】
本実施例においては図２８に示すように、前記環状水槽３で取り囲まれてなる内部の空間としての内部水槽４を、前記第１の直線状水槽５Ａの延長方向で見て三分割するように、前後方向Ｆ２に直線状を呈する仕切り１０Ａ，１０Ｂ（本実施例においては前記と同様構成の仕切り水槽１０ａを以て構成されている）が配設されており、右側の仕切り１０Ｂは、その一端部１３９が前記コ−ナ−部水槽８Ｆに連結されている。そして、このようにして三分割された分割水槽部１４０，１４１，１４２の上端１４３，１４５，１４６は、実施例１における場合と同様にして、同一長さを有する蓋板３９の多数枚を用いて塞がれている。本実施例においては図２８に示すように、前記コ−ナ−部水槽８Ｃと、前記第１の直線状水槽５Ｂの外側面部１４７の、前記コ−ナ−部水槽８Ｅ寄り側に夫々、実施例１における場合と同様にして流入管４３，４３が接続されることによって前記流入部４１が構成されている。又、前記コ−ナ−部水槽８Ｂに、前記と同様にして排出管５０が接続されることによって前記貯水排出部４２が構成されている。
【実施例３】
【００７３】
図２９は、平面視で階段状を呈する如く構成された貯水槽１の他の実施例を示すものである。該貯水槽１は、大容積の水槽部１Ｃに中容積の水槽部１Ｄが連設されると共に該中容積の水槽部１Ｄに小容積の水槽部１Ｅが連設されてなり、平面視で三段の階段状を呈している。そして該貯水槽１を構成する環状水槽３は、前記第１の直線状水槽５Ｄの両端１３４，１３８に前記コ−ナ−部水槽８Ｇ，８Ｈが連結されている。
【００７４】
そして該左右のコ−ナ−部水槽８Ｇ，８Ｈに、前後方向Ｆ２で見て同方向に延長する前記第２の直線状水槽６Ｄ，６Ｅが連設されており、同図において、右側の第２の直線状水槽６Ｅの延長長さは左側の第２の直線状水槽６Ｄの延長長さの１／３程度に設定されると共に、該両第２の直線状水槽６Ｄ，６Ｅの端部１４８，１４９に前記コ−ナ−部水槽８Ｉ，８Ｊが連結されている。
【００７５】
又、該両コ−ナ−部水槽８Ｉ，８Ｊに、前記第１の直線状水槽５Ｅ，５Ｆが左右方向Ｆ１で見て内方向に連結されており、該両第２の直線状水槽５Ｅ，５Ｆの端部１５０，１５４に前記コ−ナ−部水槽８Ｋ，８Ｌが連結されている．又、該両コ−ナ−部水槽８Ｋ，８Ｌに、前記第２の直線状水槽６Ｆ，６Ｇが、前記前後方向で見て内方向に連結されると共に該両第２の直線状水槽６Ｆ，６Ｇの端部１５５，１５６に前記コ−ナ−部水槽８Ｍ，８Ｎが連結されている。そして、該コ−ナ−部水槽８Ｍ，８Ｎ相互を連結するように前記第１の直線状水槽５Ｇが配設されている。
【００７６】
そして本実施例においては図２９で示すように、前記環状水槽３で取り囲まれてなる内部の空間としての内部水槽４を、左右方向で見て等幅に四分割するように、前後方向Ｆ２に直線状を呈する３本の仕切り１０Ｃ，１０Ｄ，１０Ｅ（本実施例においては前記と同様構成の仕切り水槽１０ａを以て構成されている）が配設されており、右端側の仕切り水槽１０Ｅと中間の仕切り水槽１０Ｄは、その一端部１５９，１５７が前記コ−ナ−部水槽８Ｌ，８Ｍに連結されている。
【００７７】
そして、このようにして四分割された分割水槽部１６０，１６１，１６２，１６３の上端１６５，１６６，１６７，１６９は、実施例１における場合と同様にして、同一長さを有する蓋板３９の多数枚を用いて塞がれている。本実施例においては図２９に示すように、前記コ−ナ−部水槽８Ｉと、前記第１の直線状水槽５Ｅの外側面部１４７の夫々に、実施例１における場合と同様にして流入管４３，４３が接続されることによって前記流入部４１が構成されている。又、前記コ−ナ−部水槽８Ｈに、前記と同様にして排出管５０が接続されることによって前記貯水排出部４２が構成されている。
【実施例４】
【００７８】
図３０〜３１は、前記門形ブロック１３を用いて構成した前記仕切り水槽１０ａに代えてＩ形ブロック１７０を用いて構成した仕切り壁体１０ｂとしての仕切り１０を見える貯水槽１を示すものである。該Ｉ形ブロック１７０は、図３２〜３３に示すように、垂直な矩形板状を呈し且つ前記と同様構成の連通開口２７が設けられなる立壁部１７１の下端に、横断面山形状を呈する台座部１７２が設けられると共に、図３０、図３３に示すように、該立壁部１７１の左右の立面１７３，１７５の上部に、前記蓋板３９の端部分７０を下方から支持する、水平な受面７１を有する受部７２，７２が突設されており、該受部７２，７２が該端部分７０を支持した状態で、図３３に示すように、該蓋板３９の上面７３が前記立壁部１７１の上面１７６と面一状態となるように構成されている。
【００７９】
そして図３２に示すように、該Ｉ形ブロック１７０には第１のＩ形ブロック１７０ａと第２のＩ形ブロック１７０ｂの２種類がある。該第１、第２のＩ形ブロック１７０ａ，１７０ｂの前記台座部１７２の両側部分１７７，１７７は、ブロック長さ方向に延長する下の連結孔２３，２３が貫設されており、又、前記立壁部１７１の上端部分１７９には、ブロック長さ方向に延長する上の連結孔２５が貫設されている。そして、第１のＩ形ブロック１７０ａの前記台座部１７２の両側部分の上面１８０，１８０のブロック長さ方向の中央部には、前記下の連結孔２３，２３を分断するように、前記と同様構成の下の定着凹部１８１，１８１が設けられる一方、前記上端部分１７９の上面１７６のブロック長さ方向の中央部には、前記上の連結孔２５を分断するように、前記と同様構成の上の定着凹部１８３が設けられている。
【００８０】
かかる構成を有する第１、第２のＩ形ブロック１７０ａ，１７０ｂを連結一体化して仕切り１０（本実施例においては、図３０〜３１に示している仕切り壁体１０ｂ）を構成するに際しては、前記上下の連結棒６２，６３を用いて、例えば図３４〜３５に示すように、複数のブロックを連結一体化して仕切り壁体用の仕切りブロック連結体７７を構成する。その施工要領は、実施例１におけると略同様である。
【００８１】
なお図３１、図３４においては、前記仕切り壁体１０ｂの端部１８５，１８５が、前記第１の門形ブロック１３ａ，１３ａの、前記内部水槽４に面する側板１５，１５に当接状態にある。
【００８２】
図３６は、例えば前記Ｉ形ブロック１７０を用いて前記仕切り壁体１０ｂを構成する場合において、各Ｉ形ブロック１７０が前記連通開口２７を有さず、且つ、前記内部水槽４の上端が開放状態にある場合に関するものである。この場合において、該仕切り１０によって左右二分割された左右の分割水槽部１１，１２の内、右側の分割水槽部１２に関して、前記第１、第２の直線状水槽５，６の、該分割水槽部１２に面する側板１５に前記連通開口２７を設けない場合は、該右側の分割水槽部１２を閉鎖された水槽部となし得る。閉鎖された該分割水槽部１２には、水を常時貯留でき、防火水槽や中水利用槽等として利用できることとなる。なお中水は、例えば園芸用水、融雪用水、トイレ用水、防火用水、生活用水等として利用できる。なお、前記閉鎖された水槽部の上端は、前記と同様にして蓋板で閉蓋されてもよい。
【００８３】
かかる閉鎖された分割水槽部１２を有する貯水槽１は、実施例１、２、３におけるような前記仕切り水槽１０ａを用いて構成された貯水槽１にも応用できる。
【実施例５】
【００８４】
本発明は、前記実施例で示したものに限定されるものでは決してなく、「特許請求の範囲」の記載内で種々の設計変更が可能であることはいうまでもない。その一例を挙げれば次のようである。
【００８５】
(1) 本発明において、環状水槽の上端が塞がれているとは、マンホールの蓋体等の蓋体を閉じることによって塞がれた状態となることを含む。
【００８６】
(2) 前記実施例においては、コーナー部水槽８の上端に、貯水槽の内部を点検したり清掃する際等に用いられるマンホール８０が設けられているが、該マンホールは、その必要性に応じて、前記第１、第２の直線状水槽５，６の上端の所要部位等、貯水槽の大きさやその形状等に応じて点検作業や清掃作業等を容易化できるように、所要部位に設定することができる。
【００８７】
(3) 前記第１、第２の直線状水槽５，６や前記仕切り１０を構成するブロックとして、例えば図３７に示すような有底のボックス状のブロックを１８６用いることもできる。本実施例においては、前記連通開口２７が、隣り合うボックス状のブロック１８６，１８６の側壁部１８７，１８７に設けた欠切部１８９，１８９の合致によって構成されている。該ボックス状のブロック１８６は、前記門形ブロック１３の両側板１５，１６の下部相互が底板１９０で連結された構成と見ることができるため、本発明においては、該ボックス状のブロック１８６も本発明の門形ブロックに含まれるものとする。
【００８８】
(4) 図３８〜３９に示す門形ブロック１３は、所要間隔を隔てて立設された対向する側板１５，１６の上部１７，１９相互が連結板２０で連結されてなる門形を呈し、且つ、該両側板１５，１６の下部２１，２２相互の両端部２１ａ，２２ａ、２１ｂ，２２ｂが耐力梁１９１，１９１で連結されている。
【００８９】
該耐力梁１９１，１９１は、本実施例においては１３ｍｍ径の長ボルト１９４を用いて構成されており、図３８（Ｂ）に示すように、その両端部分はネジ軸部１９２，１９３とされている。そして、前記両側板１５，１６の下部２１，２２の両端部２１ａ，２１ｂ，２２ａ、２２ｂにおいて、一方の側板１６には、その内面で開口するインサート１９５が埋設されると共に、他方の側板１５には、ブロック幅方向（該側板１５の厚さ方向）に挿通孔１９６が貫設されている。
【００９０】
然して前記耐力梁１９１，１９１を構成するに際しては、前記長ボルトを該挿通孔１９６に挿通させると共に一方のネジ軸部１９２を前記インサート１９５に螺合し、且つ、他方のネジ軸部１９３には、前記他方の側板１５を挾んでナット１９７，１９７を螺合し該ナット１９７，１９７を締め付ける。
【００９１】
このようにして両側板１５，１６の下部２１，２２相互の両端部を耐力梁１９１，１９１で連結する場合は、該門形ブロック１３を施工現場に運搬する際、一方の側板を下にして荷台に積載しても、該耐力梁１９１，１９１の補強作用によって他方の（上側の）側板がその自重で不安定化して側板の根元が折損乃至屈曲する恐れを回避できる。従って、高さ制限によって立設状態ではトラック輸送ができない門形ブロックであっても、これを横倒しして安定的に運搬できることとなる。又、このように横倒して運搬されたブロックを施工現場で起こす際も、不測の外力が作用して門形ブロックが損傷される恐れを回避できる。
【００９２】
図３９は、水槽底部４０を底打ちコンクリートの打設によって形成した場合において、前記耐力梁１９１が該水槽底部４０に埋設された状態を示している。このように耐力梁１９１が水槽底部４０に埋設状態となることにより、該埋設状態の耐力梁１９１，１９１は、例えば地震時の振動等による門形ブロック１３の浮き上がり防止にも寄与する。
【００９３】
(5) 図４０は前記耐力梁１９１の他の態様を示すものであり、前記両側板１５，１６の下部２１，２２相互の両端部分２１ａ，２２ａ相互及び２１ｂ，２２ｂ相互をコンクリート製の耐力梁１９１で一体に連結して構成されている。
【００９４】
(6) 前記コーナー部水槽８の、前記連結側面部２９，３０の平面視における一辺の長さは、これに連結される前記第１、第２の直線状水槽５，６の端部に位置する門形ブロック１３の幅寸法に略等しく設定すればよいのであるが、該コーナー部水槽８の容積をより大きく確保する必要がある場合等においては、該一辺の長さが該門形ブロック１３の幅寸法よりも大きく設定されることがある。
【００９５】
(7) 前記頂部ブロック８３の上端２８には、前記のようにマンホール８０を設けることの他、貯水槽１の内部換気等のための空気抜き用の孔を設けたり、該コーナー部水槽で取水する場合は該上端２８に吸管を挿通させるための開口を設けることもできる。
【００９６】
又、前記底部ブロック８２と中間ブロック８５、頂部ブロック８３の側壁部には、該側壁部が前記環状水槽３に面する場合は、該側壁部に、前記のように連通開口２７を設けたり、又前記のように、該連通開口２７を構成する欠切部８４を設けることができる。或いは、前記貯水槽３の内部を点検したり清掃する際等における管理用通用口を設けたり、これらを形成する欠切部を設けることができる。更には、該コーナー部水槽８の外側の側面部に、地下浸透用の通水孔を設けることにより、前記環状水槽３内の水を該通水孔を通して周辺に地下浸透させることができる。
【００９７】
又、該コーナー部水槽８に雨水の流入部４１が設けられる場合は、前記コーナー部水槽８の外側の側面部に、例えば前記したように、流入管４３の端部分を挿入接続させるための接続口４９（図８（Ｂ））が設けられる。又、該コーナー部水槽８に前記貯水排出部４２が設けられる場合は、例えば前記したように、該側面部の所要部位に、前記排出管５０の端部分を挿入接続するための接続口４９（図１、図３）が設けられる。
【００９８】
又、該コーナー部水槽８に貯水排出部４２が設けられる場合は、該コーナー部水槽を貯水排出調整槽として利用できる。図４１はその一例を示すものであり、該コ−ナ−部水槽８と前記第１、第２の直線状水槽５，６とは、流量整調口１９１と越流用開口１９２とだけで繋がっている。該流量調整口１９１の開口面積は、該流出調整口１９１から河川に放流される際の河川が耐え得る許容放流量を考慮して設定される。そして該越流用開口１９２は、貯水槽内が満水状態になるような豪雨時において、限界水位を越えた余分の貯留水を前記貯水排出部４２に流入させる。
【００９９】
(8) 前記コーナー部水槽８を、有底で上端８６が開放した、平面視で矩形箱体を呈する底部ブロック８２と、上端８７が塞がれ且つ下端８９が開放された、平面視で矩形箱体を呈する頂部ブロック８３と、該底部ブロック８２と該頂部ブロック８３との間に介在される１個乃至複数個の中間ブロック８５とを具える構成とする場合は、該複数のブロックの積重によって所要高さのコ−ナ−部水槽８を構成できるため、用いる前記門形ブロックの高さの変化に、ブロックの組み合わせを変更することによって容易に応ずることができる。
【０１００】
(9) 図４２は、前記仕切り１０を構成する仕切り水槽１０ａと前記第１の直線状水槽５とを連結する目的で、該第１の直線状水槽５の中間部に前記コーナー部水槽８を配置した場合を示している。この場合は、仕切り水槽１０ａの端部に位置する第７の門形ブロック１３ｇと該コーナー部水槽８とを、前記上下の連結棒６２，６３を用いて前記と同様にして連結一体化する。
【０１０１】
(10)前記内部水槽４を仕切り１０によって複数の分割水槽部に分割する場合、その分割形態は所要に設定できる。例えば、対向する前記第１の直線状水槽の対向部位相互、又は、対向する第２の直線状水槽の対向部位相互を該仕切り１０によって分割できる。そして、この場合、該仕切りの上部に設けられた受部７２で、該分割により構成された分割水槽部の上端を閉蓋する蓋板３９の端部分７０を下方から支持するように構成できる。該内部水槽４の上端を前記蓋板３９で塞がれた状態とするときは、同一長さの蓋板を用いて該上端を塞ぐことができるように、前記受部７２が設けられてなる仕切り１０を所要に配置する。
【０１０２】
(11)前記コーナー部水槽８は、前記第１、第２の直線状水槽５，６を連結する連結部材としての機能を果すことができれば、前記したような、平面視で正方形状を呈する角筒状の水槽には特定されず、平面視で長方形状を呈する角筒状の水槽であってもよい。更には、該第１、第２の直線状水槽５，６を連結できるものであれば、必ずして角筒状を呈する水槽には特定されず、円筒状等を呈するものであってもよい。
【０１０３】
(12)図４３は、前記蓋板３９の端部分７０を下方向を支持する前記受部７２の他の態様を示すものである。
【０１０４】
(13)前記内部水槽４は、貯水槽の施工コスト低減等の要請から、その上端が開放状態とされることもある。この場合は、例えば図３６に示すと同様にして、前記門形ブロック１３や前記Ｉ形ブロック１７０において、蓋板３９の端部分７０を支持するための前記受部７２は省略してよい。
【０１０５】
(14)前記貯水槽１内に雨水等を流入させるための流入部４１は、雨水等を前記コーナー部水槽８内に流入させるように設けるのがよい。このように構成する場合、該コーナー部水槽８の底部分を貯水槽の水槽底部に設けた凹部に位置させることにより、該底部分を堆砂ピットとして機能させることができる。
【０１０６】
前記流入部４１や前記貯水排出部４２は、これらを前記コーナー部水槽８に設けることの他、例えば図２８、図２９に示すように、前記環状水槽３の所要部位に設けることもできる。該貯水排出部４２を前記排出管５０を以て構成する場合は、貯留水を該排出管５０を介して自然流下させることができる。該貯水排出部４２は、排水用水中ポンプを収容するためのポンプピットとして構成することもできる。この場合は、貯水槽１内の貯留水を吸管で汲み上げて排出できる。
【０１０７】
(15)前記第１、第２の直線状水槽５，６、前記仕切り１０を構成するに際して、複数個のブロックを連結するために用いられる前記上下の連結棒６２，６３としては、ＰＣ鋼棒に比して安価な鉄筋棒を用いることもできる。
【０１０８】
(16)前記貯水槽１は、通常はその全体が地下に埋設されるものであるが、その上部分が地面から稍突出した状態とされることもある。例えば、内部水槽４の上端を開放状態にする場合は、貯水槽の上端側部分を、地表から例えば５０ｃｍ程度の高さに突出させる。
【０１０９】
(17)図４４は、前記第１、第２の直線状水槽５，６や仕切り水槽１０を、７〜８ｍ程度の高さの高い門形ブロック１３を用いて構成した場合の一例を示すものである。この場合は、前記側板１５の外面上部に加えて、外面の中間部分にも前記受部７２，７２を突設し、同一高さで隣り合う上の受部７２，７２と、中間の受部７２，７２に、夫々蓋板３９の端部分７０，７０を下方から支持させることにより、上下二槽型の貯水槽１を構築できることとなる。
【０１１０】
(18)本発明に係る貯水槽は、大量の雨水を一時的に貯留する雨水一時貯留槽として用いることができる他、防火水槽や中水利用槽、飲料用水槽等、各種用途に用いることもできる。
【符号の説明】
【０１１１】
１  貯水槽
２  上端
３  環状水槽
４  内部水槽
５  第１の直線状水槽
６  第２の直線状水槽
７  コーナー交差部
８  コーナー部水槽
１０  仕切り
１２  分割水槽部
１３  門形ブロック
１５  側板
１６  側板
２０  連結板
２３  下の連結孔
２５  上の連結孔
２９  連結側面部
３０  連結側面部
４１  流入部
４２  貯水排出部
４３  流入管
５０  排出管
６０  基礎コンクリート
６２  上の連結棒
６３  下の連結棒
６５  第１のブロック連結体
７２  受部
７６  第２のブロック連結体
７７  仕切りブロック連結体
８２  底部ブロック
８３  頂部ブロック
８５  中間ブロック
９６  コーナーブロック連結体
１７０  Ｉ形ブロック
【図１】
2015134988.tif 000003
【図２】
2015134988.tif 000004
【図３】
2015134988.tif 000005
【図４】
2015134988.tif 000006
【図５】
2015134988.tif 000007
【図６】
2015134988.tif 000008
【図７】
2015134988.tif 000009
【図８】
2015134988.tif 000010
【図９】
2015134988.tif 000011
【図１０】
2015134988.tif 000012
【図１１】
2015134988.tif 000013
【図１２】
2015134988.tif 000014
【図１３】
2015134988.tif 000015
【図１４】
2015134988.tif 000016
【図１５】
2015134988.tif 000017
【図１６】
2015134988.tif 000018
【図１７】
2015134988.tif 000019
【図１８】
2015134988.tif 000020
【図１９】
2015134988.tif 000021
【図２０】
2015134988.tif 000022
【図２１】
2015134988.tif 000023
【図２２】
2015134988.tif 000024
【図２３】
2015134988.tif 000025
【図２４】
2015134988.tif 000026
【図２５】
2015134988.tif 000027
【図２６】
2015134988.tif 000028
【図２７】
2015134988.tif 000029
【図２８】
2015134988.tif 000030
【図２９】
2015134988.tif 000031
【図３０】
2015134988.tif 000032
【図３１】
2015134988.tif 000033
【図３２】
2015134988.tif 000034
【図３３】
2015134988.tif 000035
【図３４】
2015134988.tif 000036
【図３５】
2015134988.tif 000037
【図３６】
2015134988.tif 000038
【図３７】
2015134988.tif 000039
【図３８】
2015134988.tif 000040
【図３９】
2015134988.tif 000041
【図４０】
2015134988.tif 000042
【図４１】
2015134988.tif 000043
【図４２】
2015134988.tif 000044
【図４３】
2015134988.tif 000045
【図４４】
2015134988.tif 000046
【図４５】
2015134988.tif 000047
【図４６】
2015134988.tif 000048
【図４７】
2015134988.tif 000049
【図４８】
2015134988.tif 000050
【図４９】
2015134988.tif 000051